(57)【要約】【課題】再循環して使用しない金種の紙幣を適切に回収することができるようにして、釣銭として使用される金種の紙幣を効率的に運用することができ、釣銭の運用処理を高速化することができ、店舗の運営効率を高くすることができるようにする。【解決手段】紙幣を入金及び出金する入出金口と、紙幣の認識を行う認識部と、認識部が再循環して使用する金種と認識した紙幣を金種別に収納するとともに、出金時には一枚ずつ繰り出すことができる金種別収納庫と、認識部が再循環して使用しない金種と認識した紙幣を収納する回収カセットとを有し、再循環して使用しない金種の紙幣を一旦金種別収納庫に混在して上入れ収納し、出金の際に金種別収納庫から紙幣を上出しして繰り出した後、認識部が再循環して使用しない金種と認識した紙幣を回収カセットに収納し、認識部が再循環して使用する金種と認識した紙幣を入出金口から出金する。【選択図】図１
2005293540.tif 000002
【特許請求の範囲】
【請求項１】
（ａ）紙幣を入金及び出金する入出金口と、
（ｂ）前記紙幣の搬送路に配設され、前記紙幣の認識を行う認識部と、
（ｃ）該認識部が再循環して使用する金種と認識した紙幣を金種別に収納するとともに、出金時には一枚ずつ繰り出すことができる金種別収納庫と、
（ｄ）前記認識部が再循環して使用しない金種と認識した紙幣を収納する回収カセットとを有し、
（ｅ）再循環して使用しない金種の紙幣を一旦金種別収納庫に混在して上入れ収納し、出金の際に前記金種別収納庫から紙幣を上出しして繰り出した後、前記認識部が再循環して使用しない金種と認識した紙幣を前記回収カセットに収納し、前記認識部が再循環して使用する金種と認識した紙幣を前記入出金口から出金することを特徴とする紙幣処理装置。
【請求項２】
（ａ）紙幣を入金及び出金する入出金口と、
（ｂ）前記紙幣の搬送路に配設され、前記紙幣の認識を行う認識部と、
（ｃ）該認識部が再循環して使用する金種と認識した紙幣を金種別に収納するとともに、出金時には一枚ずつ繰り出すことができる金種別収納庫と、
（ｄ）前記認識部が再循環して使用しない金種と認識した紙幣を収納する回収カセットとを有し、
（ｅ）再循環して使用しない金種の紙幣を一旦一方の金種別収納庫に混在して上入れ収納し、入金が終了した後に、前記一方の金種別収納庫の金種スタック状態を確認し、出金の際に前記一方の金種別収納庫から紙幣を上出しして繰り出した後、再循環して使用する金種の紙幣の場合、該紙幣が認識部を通過した後、搬送モータを停止して逆転させ、他方の金種別収納庫に一時収納し、再循環して使用しない金種の紙幣の場合、該紙幣を前記回収カセットに収納し、前記他方の金種別収納庫に一時収納した紙幣を前記一方の金種別収納庫に戻すことを特徴とする紙幣処理装置。
【請求項３】
（ａ）紙幣を入金及び出金する入出金口と、
（ｂ）前記紙幣の搬送路に配設され、前記紙幣の認識を行う認識部と、
（ｃ）該認識部が再循環して使用する金種と認識した紙幣を金種別に収納するとともに、出金時には一枚ずつ繰り出すことができる金種別収納庫と、
（ｄ）前記認識部が再循環して使用しない金種と認識した紙幣を収納する回収カセットとを有し、
（ｅ）再循環して使用しない金種の紙幣が前記認識部を通過した後、搬送モータを停止して逆転させ、前記紙幣を前記回収カセットに収納することを特徴とする紙幣処理装置。
【請求項４】
（ａ）紙幣を入金及び出金する入出金口と、
（ｂ）前記紙幣の搬送路に配設され、前記紙幣の認識を行う認識部と、
（ｃ）該認識部が再循環して使用する金種と認識した紙幣を金種別に収納するとともに、出金時には一枚ずつ繰り出すことができる金種別収納庫と、
（ｄ）前記認識部が再循環して使用しない金種と認識した紙幣を収納する回収カセットとを有し、
（ｅ）再循環して使用しない金種の紙幣を一旦一方の金種別収納庫に混在して上入れ収納し、入金が終了した後に、入金の際に記憶した前記一方の金種別収納庫の金種別収納状況を確認し、前記一方の金種別収納庫の一番上の紙幣が再循環して使用する金種の紙幣となるようにすることを特徴とする紙幣処理装置。
【発明の詳細な説明】
【技術分野】
【０００１】
本発明は、紙幣処理装置に関するものである。
【背景技術】
【０００２】
従来、スーパーマーケット、コンビニエンスストア、ディスカウントショップ、ガソリンスタンド等の店舗におけるレジ精算場では、現金による販売で必要となる釣銭準備金を管理するために、ＰＯＳ（Ｐｏｉｎｔ  ｏｆ  Ｓａｌｅｓ）レジスタ等のレジスタ機に自動紙幣レジ釣銭機が取り付けられている（例えば、特許文献１参照。）。
【０００３】
図２は従来の自動紙幣レジ釣銭機の斜視図、図３は従来の自動紙幣レジ釣銭機の構成を示す概略断面図である。
【０００４】
図２及び３に示されるように、自動紙幣レジ釣銭機１０１は、顧客から受け取った入金紙幣を入金する入金口部１０２、釣銭紙幣を出金するための出金口部１０４及び出金部１０４ａ、前記自動紙幣レジ釣銭機１０１の内部の紙幣を回収するための回収カセット部１０３及び回収カセット１０３ａ、紙幣のうちの千円券を収納する千円券収納庫１０５、紙幣のうちの五千円券を収納する五千円券収納庫１０６、入金された紙幣を認識する入金紙幣認識部１０７、出金される紙幣を認識する出金紙幣認識部１０８、並びに、搬送路を有する。
【０００５】
また、１０１ｂは保守モードにおいて自動紙幣レジ釣銭機１０１から機構本体１０１ａや回収カセット部１０３を引き出したり、自動紙幣レジ釣銭機１０１を運用モードにおいて使用可能にしたりするためのスイッチキーである。
【０００６】
そして、１０９は搬送部全体を駆動するための搬送モータであり、１１０は入金口部１０２の分離部を駆動するための分離モータ、１１１は千円券収納庫１０５の分離部を駆動するための分離モータ、１１２は五千円券収納庫１０６の分離部を駆動するための分離モータである。
【０００７】
次に、前記構成の自動紙幣レジ釣銭機１０１の動作について説明する。
【０００８】
図４は従来の自動紙幣レジ釣銭機における入金取引処理の動作を示す図、図５は従来の自動紙幣レジ釣銭機における釣銭出金取引処理の動作を示す図、図６は従来の自動紙幣レジ釣銭機における回収処理の動作を示す図である。
【０００９】
前記自動紙幣レジ釣銭機１０１において釣銭として使用される紙幣を補充する補充処理や顧客から受け取った入金紙幣を入金する入金取引処理が実行される場合、図４に示されるように、入金口部１０２から入金された紙幣は、矢印で示されるような経路を通って搬送される。この場合、入金された紙幣は、入金紙幣認識部１０７によって認識されて金種が判別される。そして、千円券であれば千円券収納庫１０５に収納され、五千円券であれば五千円券収納庫１０６に収納される。また、他の金種の紙幣も同様に千円券収納庫１０５及び五千円券収納庫１０６に収納される。ここで、紙幣は、上から前記千円券収納庫１０５及び五千円券収納庫１０６の内部に投入され、順次積み重ねられるようにして集積された状態で収納される。なお、前記千円券収納庫１０５及び五千円券収納庫１０６がオーバーフローした場合、紙幣は出金部１０４ａに出金される。
【００１０】
また、釣銭として使用される紙幣を出金する釣銭出金取引処理が実行される場合、図５に示されるように、千円券収納庫１０５及び五千円券収納庫１０６に収納されていた紙幣は、矢印で示されるような経路を通って搬送される。この場合、千円券収納庫１０５及び五千円券収納庫１０６から繰り出された紙幣は、出金紙幣認識部１０８によって認識され、再循環して使用される紙幣は出金部１０４ａに出金され、再循環して使用されない紙幣は回収カセット１０３ａに収納される。なお、前記千円券収納庫１０５及び五千円券収納庫１０６の内部に集積された紙幣は、下から一枚ずつ分離されて、順次繰り出される。
【００１１】
さらに、紙幣を回収する回収処理が実行される場合、図６に示されるように、千円券収納庫１０５及び五千円券収納庫１０６に収納されていた紙幣は、矢印で示されるような経路を通って搬送される。この場合、回収動作は、店舗の係員によってレジスタ機を操作することにより行われる。なお、回収処理には、収納されている紙幣の一部を次回の営業における釣銭準備金として所定の金額だけを残して紙幣を回収する残値回収と、収納されている紙幣をすべて回収する全回収との二つのパターンがあるが、いずれのパターンにおいても、基本動作は同様である。ここで、レジスタ機の図示されない回収ボタンが押下されると、搬送モータ１０９が起動し、図６に示されるように、千円券収納庫１０５及び五千円券収納庫１０６に収納されていた紙幣は、矢印で示されるような経路を通って搬送される。この場合、出金紙幣認識部１０８による紙幣の認識は行われず、すべての紙幣は回収カセット１０３ａに収納される。なお、残値回収のパターンでは、重送が発生したような場合、紙幣は出金部１０４ａに出金された後に再入金が行われるようにするか、又は、誤差の発生を承知の上で、すべての紙幣を回収カセット１０３ａに収納するようになっている。
【特許文献１】特開２００１−１３４８３９号公報
【発明の開示】
【発明が解決しようとする課題】
【００１２】
しかしながら、前記従来の自動紙幣レジ釣銭機１０１においては、再循環して使用されない金種の紙幣をとりあえず千円券収納庫１０５及び五千円券収納庫１０６に上から順次収納し、出金時に出金リジェクトとして回収カセット１０３ａに収納するようになっている。そのため、再循環して使用されない紙幣を回収することができず、埋もれたままとなってしまう。
【００１３】
本発明は、前記従来の問題点を解決して、再循環して使用しない金種の紙幣を適切に回収することができるようにして、レジ精算場において釣銭として使用される金種の紙幣を効率的に運用することができ、釣銭の運用処理を高速化することができ、店舗の運営効率を高くすることができる紙幣処理装置を提供することを目的とする。
【課題を解決するための手段】
【００１４】
そのために、本発明の紙幣処理装置においては、紙幣を入金及び出金する入出金口と、前記紙幣の搬送路に配設され、前記紙幣の認識を行う認識部と、該認識部が再循環して使用する金種と認識した紙幣を金種別に収納するとともに、出金時には一枚ずつ繰り出すことができる金種別収納庫と、前記認識部が再循環して使用しない金種と認識した紙幣を収納する回収カセットとを有し、再循環して使用しない金種の紙幣を一旦（たん）金種別収納庫に混在して上入れ収納し、出金の際に前記金種別収納庫から紙幣を上出しして繰り出した後、前記認識部が再循環して使用しない金種と認識した紙幣を前記回収カセットに収納し、前記認識部が再循環して使用する金種と認識した紙幣を前記入出金口から出金する。
【００１５】
本発明の他の紙幣処理装置においては、紙幣を入金及び出金する入出金口と、前記紙幣の搬送路に配設され、前記紙幣の認識を行う認識部と、該認識部が再循環して使用する金種と認識した紙幣を金種別に収納するとともに、出金時には一枚ずつ繰り出すことができる金種別収納庫と、前記認識部が再循環して使用しない金種と認識した紙幣を収納する回収カセットとを有し、再循環して使用しない金種の紙幣を一旦一方の金種別収納庫に混在して上入れ収納し、入金が終了した後に、前記一方の金種別収納庫の金種スタック状態を確認し、出金の際に前記一方の金種別収納庫から紙幣を上出しして繰り出した後、再循環して使用する金種の紙幣の場合、該紙幣が認識部を通過した後、搬送モータを停止して逆転させ、他方の金種別収納庫に一時収納し、再循環して使用しない金種の紙幣の場合、該紙幣を前記回収カセットに収納し、前記他方の金種別収納庫に一時収納した紙幣を前記一方の金種別収納庫に戻す。
【００１６】
本発明の更に他の紙幣処理装置においては、紙幣を入金及び出金する入出金口と、前記紙幣の搬送路に配設され、前記紙幣の認識を行う認識部と、該認識部が再循環して使用する金種と認識した紙幣を金種別に収納するとともに、出金時には一枚ずつ繰り出すことができる金種別収納庫と、前記認識部が再循環して使用しない金種と認識した紙幣を収納する回収カセットとを有し、再循環して使用しない金種の紙幣が前記認識部を通過した後、搬送モータを停止して逆転させ、前記紙幣を前記回収カセットに収納する。
【００１７】
本発明の更に他の紙幣処理装置においては、紙幣を入金及び出金する入出金口と、前記紙幣の搬送路に配設され、前記紙幣の認識を行う認識部と、該認識部が再循環して使用する金種と認識した紙幣を金種別に収納するとともに、出金時には一枚ずつ繰り出すことができる金種別収納庫と、前記認識部が再循環して使用しない金種と認識した紙幣を収納する回収カセットとを有し、再循環して使用しない金種の紙幣を一旦一方の金種別収納庫に混在して上入れ収納し、入金が終了した後に、入金の際に記憶した前記一方の金種別収納庫の金種別収納状況を確認し、前記一方の金種別収納庫の一番上の紙幣が再循環して使用する金種の紙幣となるようにする。
【発明の効果】
【００１８】
本発明によれば、紙幣処理装置は、再循環して使用しない金種の紙幣を適切に回収することができるようになっている。そのため、レジ精算場において釣銭として使用される金種の紙幣を効率的に運用することができ、釣銭の運用処理を高速化することができ、店舗の運営効率を高くすることができる。
【発明を実施するための最良の形態】
【００１９】
以下、本発明の実施の形態について図面を参照しながら詳細に説明する。
【００２０】
図１は本発明の第１の実施の形態における釣銭機の斜視図、図７は本発明の第１の実施の形態における紙幣処理装置の斜視図である。
【００２１】
図１及び７において、２５０は、紙幣処理装置としての自動紙幣レジ釣銭機１及び自動硬貨レジ釣銭機２０２を有する釣銭機であり、ＰＯＳレジスタ２０３に取り付けられている。該ＰＯＳレジスタ２０３は、店舗におけるレジ精算場に配設され、店舗を訪れた顧客が店舗で販売される商品やサービスを購入して代金の精算を行うと、前記店舗におけるレジ係等の代金精算業務を行う係員が操作して、前記代金を商品やサービスの売上額として入力して合計売上額を集計するとともに、前記代金として顧客から受領した現金を収納するための装置である。
【００２２】
また、前記ＰＯＳレジスタ２０３は、いわゆるＰＯＳシステムにおけるＰＯＳ端末として機能するものであり、売上額だけでなく、顧客が購入した商品やサービス毎に商品項目等の売上情報も入力される。そして、図示されないホストコンピュータが、ＰＯＳレジスタ２０３とＬＡＮ（Ｌｏｃａｌ  Ａｒｅａ  Ｎｅｔｗｏｒｋ）等の通信回線網を介して接続され、前記ＰＯＳレジスタ２０３に売上情報や売上額が入力される度に前記売上情報や売上額を収集し、店舗全体としての売上情報や売上額を集計する。なお、前記ＰＯＳレジスタ２０３に代えて、ＰＯＳシステムに組み込まれていない、通常のレジスタ機を使用することもできる。
【００２３】
さらに、前記店舗は、例えば、コンビニエンスストア、スーパーマーケット、ディスカウントショップ、百貨店等の商店、レストラン、喫茶店等の飲食店、ガソリンスタンド等であるが、商品やサービスを販売する店舗であれば、いかなる種類の店舗であってもよい。そして、前記店舗の顧客がレジ精算場において精算を行う場合、前記店舗の係員が前記ＰＯＳレジスタ２０３に付属する図示されないバーコード読み取り装置等の入力装置を操作して、顧客が購入した商品等をＰＯＳレジスタ２０３に登録すると、図示されない表示装置に顧客が購入した商品やサービスの合計金額が表示される。続いて、前記係員は、表示された合計金額を顧客に伝え、該顧客から現金を受け取る。そして、受け取った現金が正常なものであることを確認した上で、前記現金を顧客から見える箇所に保持させたまま、前記ＰＯＳレジスタ２０３に受け取った現金の金額、すなわち、受け取り金額を入力する。これにより、前記ＰＯＳレジスタ２０３は、前記合計金額と入力された受け取り金額とから釣銭額を算出する。ここで、釣銭を要する場合、前記ＰＯＳレジスタ２０３から前記釣銭機２５０に対して出金指示が出され、前記自動紙幣レジ釣銭機１及び自動硬貨レジ釣銭機２０２によって釣銭の出金が行われる。そして、前記係員が出金された釣銭を顧客に手渡した時点で該顧客との精算処理が完了し、前記顧客はレジ精算場から立ち去る。また、前記係員は、前記顧客から受け取った現金としての貨幣を後述される紙幣５０と硬貨とに分別し、前記自動紙幣レジ釣銭機１及び自動硬貨レジ釣銭機２０２に、それぞれ、投入して入金する。
【００２４】
そして、該自動硬貨レジ釣銭機２０２は、顧客から受け取った硬貨を投入して入金する硬貨入金口２０４、顧客に釣銭として支払う硬貨を払い出す硬貨出金口２０８、及び、受け入れ不能と判別されてリジェクトされた硬貨を収納するリジェクト部２２０を有する。また、前記自動紙幣レジ釣銭機１は、顧客から受け取った紙幣５０を入金したり、顧客に釣銭として支払う紙幣５０を払い出して出金したりする入出金口としての紙幣入出金口２１２、及び、自動紙幣レジ釣銭機１内に収納されている紙幣５０を回収し、収納する回収カセット部２１４を有する。また、前記釣銭機２５０は、係員が操作するための操作表示部２１３を有する。該操作表示部２１３は、紙幣５０を回収したり、補充したりする際に、係員によって回収指示や補充指示を入力するためのキーを含むキーボード、タッチパネル、スイッチ等から成る入力部、ＣＲＴ、液晶ディスプレイ、ＬＥＤ（Ｌｉｇｈｔ  Ｅｍｉｔｔｉｎｇ  Ｄｉｏｄｅ）ディスプレイ等から成る表示部を備える。また、１ｂは前記自動紙幣レジ釣銭機１から保守モードにおいて自動紙幣レジ釣銭機１の後述される機構本体１ａや回収カセット３を引き出したり、前記自動紙幣レジ釣銭機１を運用モードにおいて使用可能にしたりするためのスイッチキーである。
【００２５】
次に、前記自動紙幣レジ釣銭機１の構成を説明する。
【００２６】
図８は本発明の第１の実施の形態における紙幣処理装置の構成を示す概略断面図、図９は本発明の第１の実施の形態における紙幣処理装置の主要な構成要素を示す概略図である。
【００２７】
図８及び９に示されるように、紙幣処理装置としての自動紙幣レジ釣銭機１は、顧客から受け取った紙幣５０を入金する入金口及び釣銭としての紙幣５０を出金するための出金口として機能する入出金口部２、前記自動紙幣レジ釣銭機１における内部の紙幣５０を回収するための回収カセット３、千円券を収納する金種別収納庫としての第１収納庫５ａ、五千円券を収納する金種別収納庫としての第２収納庫６ａ、紙幣５０を認識する認識部としての入出金紙幣認識部７、リジェクトされた紙幣５０を収納する出金リジェクト部４、並びに、紙幣５０を搬送する搬送路を機構本体１ａ内に有している。前記第１収納庫５ａ及び第２収納庫６ａは、紙幣５０を上から入れる上入れ収納することができ、かつ、紙幣５０を上から取り出す上出しをすることができるようになっている。
【００２８】
そして、８は前記搬送路に配設された搬送装置としての搬送部全体を駆動するための搬送モータであり、９は入金紙幣分離部としての第１紙幣分離部を駆動するための分離モータであり、１０は千円券分離部としての第２紙幣分離部５を駆動するための分離モータであり、１１は五千円券分離部としての第３紙幣分離部６を駆動するための分離モータである。なお、分離モータ９と搬送モータ８とは、同軸上において手前と奥側とに配置される。
【００２９】
そして、搬送部の駆動力は、搬送モータ８から、モータギア８ａ、ギアプーリ３６及びタイミングベルト３７を介して、搬送ローラ３２ｇ軸上に配設されたプーリ３８に伝達されるようになっている。
【００３０】
また、前記第１紙幣分離部、第２紙幣分離部５及び第３紙幣分離部６は、それぞれ、入出金口部２、第１収納庫５ａ及び第２収納庫６ａの上に配設された繰り出しローラ１２、繰り出しローラ１５及び繰り出しローラ１８を有する。そして、該繰り出しローラ１２、繰り出しローラ１５及び繰り出しローラ１８の駆動力は、分離モータ９、分離モータ１０及び分離モータ１１から、各モータギア９ａ、１０ａ及び１１ａ、二段ギア３９、ギアプーリ４０、並びに、タイミングベルト４１を介して、フィードローラ１３、フィードローラ１６及びフィードローラ１９軸を駆動するタイミングベルトプーリ４２に伝達され、さらに、フィードローラ１３、フィードローラ１６及びフィードローラ１９軸上のギア４３並びに中間スペースギア４４から、ローラ上のギア４３を介して、各繰り出しローラ１２、１５及び１８を駆動するようになっている。
【００３１】
さらに、前記繰り出しローラ１２は前記入出金口部２における入出金口２ａの昇降可能なステージ２ｂ上にセットされた紙幣５０を一枚ずつ分離して繰り出すためのローラである。また、前記フィードローラ１３及び分離ローラ１４は、それぞれ、前記入出金口２ａにセットされた紙幣を一枚ずつ分離して搬送路に送り込むための分離ゲート部を構成し、互いに圧接して対向するように配設されている。
【００３２】
そして、前記繰り出しローラ１５は前記第１収納庫５ａに収納された紙幣５０を分離して繰り出すためのローラである。また、前記フィードローラ１６及び分離ローラ１７は前記第１収納庫５ａに収納された紙幣５０を一枚ずつ分離して搬送路に送り込むための分離ゲート部を構成し、互いに圧接して対向するように配設されている。
【００３３】
さらに、前記繰り出しローラ１８は前記第２収納庫６ａに収納された紙幣５０を分離して繰り出すためのローラである。また、フィードローラ１９及び分離ローラ２０は前記第２収納庫６ａに収納された紙幣５０を一枚ずつ分離して搬送路に送り込むための分離ゲート部を構成し、互いに圧接して対向するように配設されている。
【００３４】
なお、分離ローラ１４、分離ローラ１７及び分離ローラ２０は、それぞれ、入出金口部２、第１収納庫５ａ及び第２収納庫６ａに紙幣５０を集積するための集積ローラを有する。該集積ローラは、集積用の渦巻き状の細長いゴム板部材によって構成されている。そして、紙幣５０の分離中は分離ローラ１４、分離ローラ１７及び分離ローラ２０が停止しているので、前記集積ローラは、分離ローラ１４、分離ローラ１７及び分離ローラ２０の外形から超えることなく図示されない状態で収納されている。一方、紙幣５０の集積中は、分離ローラ１４、分離ローラ１７及び分離ローラ２０が回転するので、図８に示されるように、遠心力によって集積ローラの細長いゴム部材が放射状に伸びて、ジャムが発生しないように、集積された紙幣５０の後端部をたたいて沈めるように動作する。
【００３５】
また、２９は、前記入出金口部２から分離搬送され、入出金紙幣認識部７において金種が判別された紙幣５０を第１収納庫５ａとその他とに振り分けるための搬送方向切り換え機構である。そして、２８は、釣銭出金紙幣と入出金紙幣認識部７において、再循環、すなわち、リサイクルして使用することができない五千円券、千円券、その他の金種の紙幣５０、搬送異常が発生した紙幣５０、認識不能な紙幣５０等の入金リジェクト紙幣とを振り分けるための搬送方向切り換え機構である。さらに、３０は、出金時に発生した認識リジェクト紙幣、確定済みのリサイクルして使用することができない五千円券、千円券、その他の金種の紙幣５０、搬送異常が発生した紙幣５０、認識不能な紙幣５０である入金リジェクト紙幣を振り分けるための搬送方向切り換え機構である。
【００３６】
そして、３１及び３２は、相対する搬送ベルトであり、対向する搬送ローラ３１ａ〜３１ｅ、３２ａ〜３２ｈによってテンションを与えられた状態で張られている。
【００３７】
また、搬送ベルト３１及び搬送ベルト３２によって形成される搬送路は、双方向搬送路になっている。そのため、入金時、補充時、出金時及び回収時において、紙幣５０は常に同じ搬送路を双方向に搬送される。これにより、シンプルな搬送系を得ることができる。
【００３８】
なお、入出金紙幣認識部７は、入金時、補充時、出金時及び回収時において、双方向に搬送される紙幣５０の金種及び状態（重送、斜行、連鎖等の有無）を検出することができるようになっている。
【００３９】
さらに、３３〜３５は、それぞれ、入出金口部２、第１収納庫５ａ及び第２収納庫６ａから分離した紙幣５０を安定して搬送路に送り込むためのクランプローラである。また、２０ａ、２４及び２５は分離した紙幣５０のタグ付け及び分離枚数や分離走行状態を検出するためのセンサであり、２２は認識処理用のセンサである。さらに、２１及び２３は、それぞれ、入出金紙幣認識部７の情報に基づいて搬送方向切り換え機構２９及び搬送方向切り換え機構２８を切り換えるためのタイミングトリガセンサである。また、２６及び２７は、それぞれ、回収及び出金リジェクト紙幣の通過確認センサである。
【００４０】
次に、前記構成の自動紙幣レジ釣銭機１の動作について説明する。まず、レジ精算場における入金取引処理の全体的な動作について説明する。
【００４１】
図１０は本発明の第１の実施の形態におけるＰＯＳレジスタの入金取引処理の動作を示すフローチャート、図１１は本発明の第１の実施の形態における釣銭機の入金取引処理の動作を示すフローチャートである。
【００４２】
まず、店舗を訪れた顧客が店舗で販売される商品やサービスを購入して、レジ精算場において代金の精算を行う。この場合、前記店舗の係員がバーコード読み取り装置等の入力装置を操作して、顧客が購入した商品をＰＯＳレジスタ２０３に登録する。すると、該ＰＯＳレジスタ２０３の表示装置に顧客が購入した商品の合計金額が表示される。続いて、前記係員は、表示された合計金額を顧客に伝え、該顧客から現金を受け取る。そして、受け取った現金が正常なものであることを確認した上で、前記現金を顧客から見える箇所に保持させたまま、前記ＰＯＳレジスタ２０３に受け取った現金の金額、すなわち、受け取り金額を入力する。
【００４３】
これにより、前記ＰＯＳレジスタ２０３は、前記合計金額と入力された受け取り金額とから釣銭額を算出する。ここで、釣銭を要する場合、前記ＰＯＳレジスタ２０３から釣銭機２５０に対して出金指示が出され、該釣銭機２５０によって釣銭の出金が行われる。そして、前記係員が出金された釣銭を顧客に手渡した時点で該顧客との精算処理が完了する。そして、前記顧客はレジ精算場から立ち去る。
【００４４】
一方、前記係員は、前記顧客から受け取って顧客が見える箇所に保持させておいた現金を紙幣５０と硬貨とに分別し、前記紙幣５０を自動紙幣レジ釣銭機１の紙幣入出金口２１２に投入し、硬貨を自動硬貨レジ釣銭機２０２の硬貨入金口２０４に投入する。そして、前記係員が前記ＰＯＳレジスタ２０３の操作表示部２１３を操作して、現金の入金指示を入力すると、前記ＰＯＳレジスタ２０３は、釣銭機２５０に対して入金を指示する。
【００４５】
続いて、前記釣銭機２５０は、ＰＯＳレジスタ２０３から入金を受け付けると、自動紙幣レジ釣銭機１に対して入金を指示し、また、自動硬貨レジ釣銭機２０２に対して入金を指示する。続いて、前記釣銭機２５０は、紙幣５０の入金が完了したか否か、及び、硬貨の入金が完了したか否かを判断し、紙幣５０及び硬貨の入金が完了するまで待機する。そして、紙幣５０及び硬貨の入金が完了すると、前記釣銭機２５０は、ＰＯＳレジスタ２０３に対して入金完了を報告して処理を終了する。
【００４６】
また、前記ＰＯＳレジスタ２０３は、釣銭機２５０から入金完了の報告を受け付けて入金が完了したか否かを判断し、入金が完了するまで待機する。そして、入金が完了すると、前記ＰＯＳレジスタ２０３は処理を終了する。
【００４７】
次に、図１０におけるフローチャートについて説明する。
ステップＳ１  現金の入金指示を入力する。
ステップＳ２  釣銭機２５０に対して入金を指示する。
ステップＳ３  釣銭機２５０から入金完了の報告を受け付ける。
ステップＳ４  入金が完了したか否かを判断する。入金が完了した場合は処理を終了し、入金が完了していない場合はステップＳ３に戻る。
【００４８】
次に、図１１におけるフローチャートについて説明する。
ステップＳ１１  ＰＯＳレジスタ２０３から入金を受け付ける。
ステップＳ１２  自動紙幣レジ釣銭機１に対して入金を指示する。
ステップＳ１３  自動硬貨レジ釣銭機２０２に対して入金を指示する。
ステップＳ１４  紙幣５０の入金が完了したか否かを判断する。紙幣５０の入金が完了した場合はステップＳ１５に進み、紙幣５０の入金が完了していない場合は待機する。
ステップＳ１５  硬貨の入金が完了したか否かを判断する。硬貨の入金が完了した場合はステップＳ１６に進み、硬貨の入金が完了していない場合は待機する。
ステップＳ１６  ＰＯＳレジスタ２０３に対して入金完了を報告して処理を終了する。
【００４９】
次に、自動紙幣レジ釣銭機１の入金取引処理及び補充処理の動作について詳細に説明する。
【００５０】
図１２は本発明の第１の実施の形態における紙幣処理装置の入金取引処理の動作を示す図である。
【００５１】
まず、入出金口２ａに係員が紙幣５０をセットすると、自動紙幣レジ釣銭機１は、図示されないセンサによって紙幣５０のセットを確認し、搬送モータ８及び分離モータ９を起動し、入出金口２ａにセットされた紙幣５０の分離を開始する。そして、繰り出しローラ１２によって繰り出された紙幣５０は、フィードローラ１３、分離ローラ１４及びクランプローラ３３によって一枚ずつに分離されて繰り出される。そして、一枚ずつに分離された紙幣５０は、センサ２０ａによってタグ付けされ、搬送ベルト３１及び搬送ローラ３１ｅによって、並びに、搬送ベルト３１及び搬送ベルト３２によってクランプされて搬送される。続いて、前記紙幣５０は、搬送ベルト３１及び搬送ベルト３２によって搬送されながら、入出金紙幣認識部７を通過してセンサ２２によって認識される。このとき、該センサ２２によって前記紙幣５０の金種が認識される。
【００５２】
そして、前記紙幣５０は、千円券である場合、タイミングトリガセンサ２３を通過した時点で、搬送方向切り換え機構２９によって第１収納庫５ａの方向に搬送され、それ以外の金種である場合は第２収納庫６ａの方向に搬送される。すなわち、前記紙幣５０は、五千円券である場合、前記タイミングトリガセンサ２３を通過した時点で、前記搬送方向切り換え機構２９によって第２収納庫６ａの方向に搬送される。また、前記紙幣５０は、リサイクル可能な千円券及び五千円券以外の金種である場合も、とりあえず第２収納庫６ａに収納される。
【００５３】
そして、出金取引の場合には、第２収納庫６ａ内の紙幣５０のうち、五千円券以外の金種の紙幣５０は第２収納庫６ａの上面側から繰り出され、回収カセット３に収納される。すなわち、上入れ上出しの特殊性を利用し、効率的に回収するようにしている。
【００５４】
なお、補充処理の動作は、入金される紙幣５０が補充される紙幣５０となるだけで、入金取引処理の動作と同様であるので、説明を省略する。
【００５５】
このように、本実施の形態においては、再循環、すなわち、リサイクルして使用しない金種の紙幣５０を混在して第２収納庫６ａの上面側に収納する。そして、出金取引の場合に、第２収納庫６ａの上面側から紙幣５０を繰り出した後、入出金紙幣認識部７において再循環して使用しない金種であると認識された紙幣５０は、回収カセット３に収納される。また、目的とする金種であると認識された紙幣５０は、入出金口２ａに出金される。そのため、レジ精算場において釣銭として使用される金種の紙幣５０を効率的に運用することができるので、釣銭の運用処理の高速化することができ、店舗の運営効率を高くすることができる。
【００５６】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００５７】
本実施の形態における紙幣処理装置としての自動紙幣レジ釣銭機１の入金取引処理及び補充処理の動作について詳細に説明する。
【００５８】
まず、入出金口２ａに係員が紙幣５０をセットすると、自動紙幣レジ釣銭機１は、図示されないセンサによって紙幣５０のセットを確認し、搬送モータ８及び分離モータ９を起動し、入出金口２ａにセットされた紙幣５０の分離を開始する。そして、繰り出しローラ１２によって繰り出された紙幣５０は、フィードローラ１３、分離ローラ１４及びクランプローラ３３によって一枚ずつに分離されて繰り出される。そして、一枚ずつに分離された紙幣５０は、センサ２０ａによってタグ付けされ、搬送ベルト３１及び搬送ローラ３１ｅによって、並びに、搬送ベルト３１及び搬送ベルト３２によってクランプされて搬送される。続いて、前記紙幣５０は、搬送ベルト３１及び搬送ベルト３２によって搬送されながら、入出金紙幣認識部７を通過してセンサ２２によって認識される。このとき、該センサ２２によって前記紙幣５０の金種が認識される。
【００５９】
そして、前記紙幣５０は、千円券である場合、タイミングトリガセンサ２３を通過した時点で、搬送方向切り換え機構２９によって第１収納庫５ａの方向に搬送され、それ以外の金種である場合は第２収納庫６ａの方向に搬送される。すなわち、前記紙幣５０は、五千円券である場合、前記タイミングトリガセンサ２３を通過した時点で、前記搬送方向切り換え機構２９によって第２収納庫６ａの方向に搬送される。また、前記紙幣５０は、リサイクル可能な千円券及び五千円券以外の金種である場合も、とりあえず第２収納庫６ａに収納される。
【００６０】
次に、入金されたすべての紙幣５０の収納が終了した時点で、自動紙幣レジ釣銭機１は、前記紙幣５０の認識情報に基づいて、第２収納庫６ａに収納された紙幣５０の金種別スタック状態を後述される制御部６０内のメモリ６２内から呼び出す。そして、前記第２収納庫６ａに、五千円券以外の金種の紙幣５０が収納されている場合、例えば、二千円券や一万円券が収納されている場合には、その位置まで紙幣５０を一枚ずつ再分離する。なお、入出金紙幣認識部７において、再分離された紙幣５０が千円券と判定された場合には、搬送モータ８を一旦停止させ、搬送方向切り換え機構２９を第１収納庫５ａ側に切り換え、前記紙幣５０を第１収納庫５ａに収納する。
【００６１】
次に、搬送方向切り換え機構２９及び搬送モータ８を逆転させ、第２収納庫６ａに収納されている次の紙幣５０を一枚分離する。そして、分離された紙幣５０が入出金紙幣認識部７において、再循環して使用しない二千円券や一万円券と判定された場合には、搬送方向切り換え機構２８及び搬送方向切り換え機構３０を回収カセット３側に切り換え、前記紙幣５０を回収カセット３に収納する。前記自動紙幣レジ釣銭機１は、このような動作を、入金されて収納された紙幣５０が第２収納庫６ａ内からなくなるまで行う。
【００６２】
前述された金種別スタック状態を示すメモリのデータから五千円券以外の情報が消えた状態と、一枚分離による五千円券以外の二千円券や一万円券である紙幣５０の回収カセット３への移動枚数とが一致した時点で、前記自動紙幣レジ釣銭機１は、第２収納庫６ａからの紙幣５０の分離を停止させる。
【００６３】
次に、前記自動紙幣レジ釣銭機１は、第１収納庫５ａに一時収納した五千円券である紙幣５０を一枚ずつ分離する。そして、分離された紙幣５０が入出金紙幣認識部７において、五千円券であると認識された後、搬送モータ８を停止させ、搬送方向切り換え機構２９を第２収納庫６ａ側に切り換え、搬送モータ８を逆転させ、前記紙幣５０を第２収納庫６ａに回収する。前記自動紙幣レジ釣銭機１は、このようにして、第１収納庫５ａに収納した五千円券である紙幣５０がなくなるまで同様の処理を繰り返し、第１収納庫５ａから五千円券がなくなった時点で動作を完了する。
【００６４】
なお、補充処理の動作は、入金される紙幣５０が補充される紙幣５０となるだけで、入金取引処理の動作と同様であるので、説明を省略する。
【００６５】
このように、本実施の形態においては、再循環して使用しない金種の紙幣５０を一旦一方の金種別収納庫に混在して収納する。そして、入金取引処理が終了した後に、前記金種別収納庫の金種スタック状態を確認し、再循環して使用可能な紙幣５０である場合、搬送モータ８を停止し、逆転させる。また、他方の金種別収納庫に一時収納し、再循環して使用することが不可能な紙幣５０である場合は、回収カセット３に収納する。最後に、他方の金種別収納庫に一時収納した紙幣５０を元の金種別収納庫に戻すようになっている。そのため、レジ精算場において釣銭として使用される金種の紙幣５０と使用されない金種の紙幣５０とを分離することができ、釣銭の運用を効率化することができる。これにより、レジ精算場における精算処理の停止等のロスタイムを削減し、店舗の運営効率を高くすることができる。
【００６６】
次に、本発明の第３の実施の形態について説明する。なお、第１及び第２の実施の形態と同じ構造を有するものについては、同じ符号を付与することによってその説明を省略する。また、前記第１及び第２の実施の形態と同じ動作及び同じ効果についても、その説明を省略する。
【００６７】
本実施の形態における紙幣処理装置としての自動紙幣レジ釣銭機１の入金取引処理及び補充処理の動作について詳細に説明する。
【００６８】
まず、入出金口２ａに係員が紙幣５０をセットすると、自動紙幣レジ釣銭機１は、図示されないセンサによって紙幣５０のセットを確認し、搬送モータ８及び分離モータ９を起動し、入出金口２ａにセットされた紙幣５０の分離を開始する。そして、繰り出しローラ１２によって繰り出された紙幣５０は、フィードローラ１３、分離ローラ１４及びクランプローラ３３によって一枚ずつに分離されて繰り出される。そして、一枚ずつに分離された紙幣５０は、センサ２０ａによってタグ付けされ、搬送ベルト３１及び搬送ローラ３１ｅによって、並びに、搬送ベルト３１及び搬送ベルト３２によってクランプされて搬送される。続いて、前記紙幣５０は、搬送ベルト３１及び搬送ベルト３２によって搬送されながら、入出金紙幣認識部７を通過してセンサ２２によって認識される。このとき、該センサ２２によって前記紙幣５０の金種が認識される。
【００６９】
そして、前記紙幣５０は、千円券である場合、タイミングトリガセンサ２３を通過した時点で、搬送方向切り換え機構２９によって第１収納庫５ａの方向に搬送され、それ以外の金種である場合は第２収納庫６ａの方向に搬送される。すなわち、前記紙幣５０は、五千円券である場合、前記タイミングトリガセンサ２３を通過した時点で、前記搬送方向切り換え機構２９によって第２収納庫６ａの方向に搬送される。また、前記紙幣５０がリサイクル可能な千円券及び五千円券以外の金種である場合、入出金紙幣認識部７を通過した後、搬送モータ８を停止させる。続いて、入出金口２ａのステージ２ｂを下げて集積可能状態として搬送モータ８を逆転させ、認識が停止した紙幣５０がセンサ２１を遮断した時点で搬送方向切り換え機構２８及び搬送方向切り換え機構３０を回収カセット３側に切り換え、前記紙幣５０を回収カセット３に収納する。
【００７０】
ここで、自動紙幣レジ釣銭機１は、再循環して使用しない金種の紙幣５０が後続して搬送された場合には、前記紙幣５０が回収カセット３に収納されたことを通過確認センサ２６によって確認した後、搬送モータ８を逆転して入出金紙幣認識部７において紙幣５０の金種を確認した後、紙幣５０を第１収納庫５ａ又は第２収納庫６ａに収納する。カウンタは、搬送モータ８の搬送方向、並びに、センサ２４及びセンサ２５のオン・オフを監視することによってカウントアップする。例えば、搬送方向が第１収納庫５ａ及び第２収納庫６ａ側でセンサ２４及びセンサ２５がオンからオフになった場合にはカウントアップする。逆に、搬送方向が入出金口２ａ側でオンの状態である紙幣５０がセンサ２４及びセンサ２５を遮った状態からオフになった場合には、ノーカウントになる。このとき、第１収納庫５ａ及び第２収納庫６ａでセンサ２４及びセンサ２５がオフからオンにならないように、搬送系は別駆動となっていて、例えば、オフからオンに変化した場合は、誤作動としてエラー処理を行うようになっている。
【００７１】
このようにして、再循環して使用しない金種の紙幣５０を回収カセット３に収納した後は、再度、入金された紙幣５０を分離し、千円券又は五千円券である場合はそれぞれ第１収納庫５ａ及び第２収納庫６ａに収納し、それ以外の場合には前述されたような動作を繰り返すように、入金時に搬送モータ８を逆転させ、搬送方向切り換え機構２８を回収カセット３側に切り換えて、紙幣５０を回収カセット３に回収する。
【００７２】
なお、補充処理の動作は、入金される紙幣５０が補充される紙幣５０となるだけで、入金取引処理の動作と同様であるので、説明を省略する。
【００７３】
このように、本実施の形態においては、再循環して使用しない金種の紙幣５０が入出金紙幣認識部７を通過した後、搬送モータ８を停止し、逆転させて回収カセット３に収納するようにし、再循環可能な紙幣５０を金種別収納庫に収納しないようになっている。そのため、レジ精算場において釣銭として使用される金種の紙幣５０と使用されない金種の紙幣５０とを分離することができ、釣銭の運用を効率化することができる。これにより、レジ精算場における精算処理の停止等のロスタイムを削減し、店舗の運営効率を高くすることができる。
【００７４】
次に、本発明の第４の実施の形態について説明する。なお、第１〜第３の実施の形態と同じ構造を有するものについては、同じ符号を付与することによってその説明を省略する。また、前記第１〜第３の実施の形態と同じ動作及び同じ効果についても、その説明を省略する。
【００７５】
図１３は本発明の第４の実施の形態における紙幣処理装置の入金取引処理の動作を示す図、図１４は本発明の第４の実施の形態における紙幣処理装置の出金取引処理の動作を示す図である。
【００７６】
まず、本実施の形態における紙幣処理装置としての自動紙幣レジ釣銭機１の入金取引処理の動作について詳細に説明する。
【００７７】
まず、図１３に示されるように、入出金口２ａに係員が紙幣５０をセットすると、自動紙幣レジ釣銭機１は、図示されないセンサによって紙幣５０のセットを確認し、搬送モータ８及び分離モータ９を起動し、入出金口２ａにセットされた紙幣５０の分離を開始する。そして、繰り出しローラ１２によって繰り出された紙幣５０は、フィードローラ１３、分離ローラ１４及びクランプローラ３３によって一枚ずつに分離されて繰り出される。そして、一枚ずつに分離された紙幣５０は、センサ２０ａによってタグ付けされ、搬送ベルト３１及び搬送ローラ３１ｅによって、並びに、搬送ベルト３１及び搬送ベルト３２によってクランプされて搬送される。続いて、前記紙幣５０は、搬送ベルト３１及び搬送ベルト３２によって搬送されながら、入出金紙幣認識部７を通過してセンサ２２によって認識される。このとき、該センサ２２によって前記紙幣５０の金種が認識される。
【００７８】
そして、前記紙幣５０は、千円券である場合、タイミングトリガセンサ２３を通過した時点で、搬送方向切り換え機構２９によって第１収納庫５ａの方向に搬送され、それ以外の金種である場合は第２収納庫６ａの方向に搬送される。すなわち、前記紙幣５０は、五千円券である場合、前記タイミングトリガセンサ２３を通過した時点で、前記搬送方向切り換え機構２９によって第２収納庫６ａの方向に搬送される。また、前記紙幣５０がリサイクル可能な千円券及び五千円券以外の金種である場合、とりあえず、第２収納庫６ａに一時収納された上で後述する条件で再分離して回収カセット３に収納するか、入金時に搬送モータを８を逆転させ、搬送方向切り換え機構２８を回収カセット３に切り替えて該回収カセット３に収納する。
【００７９】
次に、本実施の形態における紙幣処理装置としての自動紙幣レジ釣銭機１の出金取引処理の動作について詳細に説明する。
【００８０】
出金取引の場合には、図１４に示されるように、第１収納庫５ａ及び第２収納庫６ａに収納されていた紙幣５０は、矢印で示されるような経路を通って搬送される。この場合、ＰＯＳレジスタ２０３によって釣銭として出金する紙幣５０の金種が指定されたり、紙幣５０の金額が指定されると、自動紙幣レジ釣銭機１は、出金する紙幣５０の金種及び枚数を確定する。そして、自動紙幣レジ釣銭機１は、搬送モータ８、分離モータ１０及び分離モータ１１を起動し、第１収納庫５ａ及び第２収納庫６ａから、千円券、五千円券の順、又は、五千円券、千円券の順で紙幣５０を順次分離する。分離された紙幣５０は、それぞれ、一枚ずつ繰り出される。そして、入出金紙幣認識部７において金種枚数が認識され、搬送ベルト３１及び搬送ベルト３２によって搬送される。このとき、タイミングトリガセンサ２１を通過した時点で釣銭出金可能な紙幣５０は、搬送方向切り替え機構２８によって入出金口２ａ側へ送られ、フィードローラ１３及び分離ローラ１４によって、入出金口２ａへ放出される。また、リジェクトされた紙幣５０は、搬送方向切り替え機構２８及び搬送方向切り替え機構３０を通って、出金リジェクト部４へ搬送される。
【００８１】
次に、本実施の形態における紙幣処理装置としての自動紙幣レジ釣銭機１が有する制御部６０について説明する。
【００８２】
図１５は本発明の第４の実施の形態における制御部の構成を示す図である。
【００８３】
図１５に示されるように、制御部６０は、ＣＰＵ６１、メモリ６２及びＩ／Ｏポート６３を備え、前記ＣＰＵ６１、メモリ６２及びＩ／Ｏポート６３は内部バス６４を介して相互に通信可能に接続されている。そして、Ｉ／Ｏポート６３は、自動紙幣レジ釣銭機１の各部に配設されたモータ、ソレノイド、センサ等が接続されている。該センサの検知信号は、Ｉ／Ｏポート６３から内部バス６４を介してＣＰＵ６１に送られる。また、モータ、ソレノイド等の各種駆動系をドライブするための信号は、内部バス６４、Ｉ／Ｏポート６３を介してモータ、ソレノイド等に送られる。
【００８４】
そして、メモリ６２には、センサの検知信号によって各種駆動系を制御する手順等を実行するファームウェアや第２収納庫６ａの後述されるカウンタが格納されている。
【００８５】
次に、第２収納庫６ａのカウンタ構成について説明する。
【００８６】
図１６は本発明の第４の実施の形態における第２収納庫のカウンタ構成の例を示す図である。
【００８７】
図１６に示されるように、第２収納庫６ａのカウンタは、使用カウンタ番号７１と、五千円枚数のカウンタ７２ａ、７２ｂ、７２ｃ・・・及び五千円以外枚数のカウンタ７３ａ、７３ｂ、７３ｃ・・・が多数並んだカウンタ列７４とで構成されている。なお、カウンタ７２ａ、７２ｂ、７２ｃ・・・及びカウンタ７３ａ、７３ｂ、７３ｃ・・・を統合的に説明する場合には、カウンタ７２及びカウンタ７３として説明する。また、使用カウンタ番号７１は、現在使用しているカウンタ列７４の番号を示し、奇数の場合は一番上の紙幣５０が五千円券以外であることを示し、偶数の場合は一番上の紙幣５０が五千円券であることを示している。
【００８８】
ここで、カウンタ７２ｂを使用している場合における入金動作時のカウンタ更新動作について説明する。
【００８９】
第２収納庫６ａに収納された一枚目の紙幣５０が五千円券であった場合、カウンタ７２ｂをそのままカウントアップする。該カウンタ７２ｂのカウントアップは五千円券以外の紙幣５０が収納されるまで継続され、五千円券以外の紙幣５０が収納された時点で使用カウンタ番号７１をカウントアップし、次のカウンタ７３ｂに移動してカウントアップする。該カウンタ７３ｂのカウントアップは五千円券の紙幣５０が収納されるまで継続される。以上の動作を入金動作終了まで繰り返す。
【００９０】
また、一枚目の紙幣５０が五千円券以外であった場合には、使用カウンタ番号７１をカウントアップし、次のカウンタ７３ｂに移動してカウントアップする。そして、該カウンタ７３ｂのカウントアップは五千円券の紙幣が収納されるまで継続される。
【００９１】
次に、カウンタ７２ｂを使用している場合における出金動作時のカウンタ更新動作について説明する。
【００９２】
この場合、第２収納庫６ａから紙幣５０が分離される毎にカウンタ７２ｂをカウントダウンし、０となるまでカウントダウンを継続する。０となった場合には使用カウンタ番号７１をカウントダウンして前のカウンタ７３ａに移動してカウントダウンする。
【００９３】
次に、入金された最終の紙幣５０が五千円券以外であった場合の動作について説明する。
【００９４】
この場合、使用カウンタ番号７１が奇数である。このとき、入金動作が終了した後、搬送モータ８を起動し、使用カウンタ番号７１が指し示す五千円券以外のカウンタ分だけ分離モータ１０及び分離モータ１１を駆動して、第２収納庫６ａから五千円券以外の紙幣５０を順次分離する。分離された紙幣５０は、一枚ずつ搬送ベルト３１によって搬送され、入出金認識部７において金種及び枚数が認識され、搬送方向切り替え機構２８及び搬送方向切り替え機構３０を介して、回収カセット３に送り込まれる。
【００９５】
次に、入金された最終の紙幣５０が五千円券であった場合の動作について説明する。
【００９６】
この場合、使用カウンタ番号７１が偶数である。このとき、入金動作が終了しても分離動作を行わずにその五千円券が出金されてしまうのを待ち、第２収納庫６ａの一番上の紙幣が五千円券以外となった時点、つまり、使用カウンタ番号７１が奇数となった時点で搬送モータ８を起動し、使用カウンタ番号７１が指し示す五千円券以外のカウンタ分だけ分離モータ１０及び分離モータ１１を駆動して、第２収納庫６ａから五千円券以外の紙幣を順次分離する。そして、分離された紙幣５０は、回収カセット３に送り込まれる。
【００９７】
次に、五千円券以外の紙幣が回収カセット３へ送り込まれる前に、更に五千円券以外の紙幣５０が入金されてしまった場合の動作について説明する。
【００９８】
この場合、入金動作が終了した後、搬送モータ８を起動し、使用力ウンタ番号７１が一番目の五千円券のカウンタ７２ａを指し示すまで分離モータ１０及び分離モータ１１を駆動して、第２収納庫６ａから、五千円券も含めて紙幣５０を順次分離する。そして、分離された紙幣５０は、回収カセット３に送り込まれる。
【００９９】
なお、この動作では出金可能な五千円券も回収カセット３に搬送されてしまうので、第２収納庫６ａが一杯になるまで何も行わないことも考えられる。この場合、入金動作終了後、第２収納庫６ａが一杯になると、搬送モータ８を起動し、所定の枚数分だけ分離モータ１０及び分離モータ１１を駆動して、第２収納庫６ａから五千円券も含めて紙幣５０を順次分離する。そして、分離された紙幣５０は、回収カセット３に送り込まれる。
【０１００】
この動作が終了した後に、第２収納庫６ａの一番上の紙幣が五千円以外の場合、つまり、使用カウンタ番号７１が奇数の場合には、さらに、搬送モータ８を起動し、使用カウンタ番号７１が指し示す五千円券以外のカウンタ分だけ分離モータ１０及び分離モータ１１を駆動して、第２収納庫６ａから五千円券以外の紙幣５０を順次分離する。そして、分離された紙幣５０は、回収カセット３に送り込まれる。
【０１０１】
このように、本実施の形態においては、出金対象でない金種の紙幣５０を、一旦一方の金種別収納庫、すなわち、第２収納庫６ａに混在させて収納し、入金処理終了後に入金処理中に記憶された第２収納庫６ａの金種収納状況を確認し、出金対象である金種の紙幣５０の上に収納された出金対象でない金種の紙幣５０を回収カセット３に収納するようになっている。また、出金対象である金種の紙幣５０の下に収納された出金対象でない金種の紙幣５０は、出金対象である金種の紙幣５０が出金された後に回収カセット３に収納し、第２収納庫６ａの一番上の紙幣５０が常に出金対象である金種の紙幣５０となるように制御する。そのため、出金動作を行わなくても出金対象である金種の紙幣５０と出金対象でない金種の紙幣５０とを分離することができる。
【０１０２】
さらに、出金動作中に出金対象でない金種の紙幣５０を排除しなくてもよいので、出金動作時間を短くすることができる。
【０１０３】
したがって、レジ精算場における釣銭運用管理を効率化することができ、ロスタイムを削減し、店舗の運営効率を高くすることができる。
【０１０４】
また、本実施の形態においては、出金対象でない金種の紙幣５０も混在して収納する紙幣収納庫としての第２収納庫６ａを五千円券庫としたが、第２収納庫６ａを二千円券庫として五千円券を出金対象でない金種の紙幣５０として扱ってもよい。そして、一時混在庫として比較的使用していない五千円券庫としたが紙幣回転率の高い千円券庫を使用して運用効率をアップしてもよい。
【０１０５】
なお、本発明は前記実施の形態に限定されるものではなく、本発明の趣旨に基づいて種々変形させることが可能であり、それらを本発明の範囲から排除するものではない。
【図面の簡単な説明】
【０１０６】
【図１】本発明の第１の実施の形態における釣銭機の斜視図である。
【図２】従来の自動紙幣レジ釣銭機の斜視図である。
【図３】従来の自動紙幣レジ釣銭機の構成を示す概略断面図である。
【図４】従来の自動紙幣レジ釣銭機における入金取引処理の動作を示す図である。
【図５】従来の自動紙幣レジ釣銭機における釣銭出金取引処理の動作を示す図である。
【図６】従来の自動紙幣レジ釣銭機における回収処理の動作を示す図である。
【図７】本発明の第１の実施の形態における紙幣処理装置の斜視図である。
【図８】本発明の第１の実施の形態における紙幣処理装置の構成を示す概略断面図である。
【図９】本発明の第１の実施の形態における紙幣処理装置の主要な構成要素を示す概略図である。
【図１０】本発明の第１の実施の形態におけるＰＯＳレジスタの入金取引処理の動作を示すフローチャートである。
【図１１】本発明の第１の実施の形態における釣銭機の入金取引処理の動作を示すフローチャートである。
【図１２】本発明の第１の実施の形態における紙幣処理装置の入金取引処理の動作を示す図である。
【図１３】本発明の第４の実施の形態における紙幣処理装置の入金取引処理の動作を示す図である。
【図１４】本発明の第４の実施の形態における紙幣処理装置の出金取引処理の動作を示す図である。
【図１５】本発明の第４の実施の形態における制御部の構成を示す図である。
【図１６】本発明の第４の実施の形態における第２収納庫のカウンタ構成の例を示す図である。
【符号の説明】
【０１０７】
１    自動紙幣レジ釣銭機
２ａ    入出金口部
３    回収カセット
５ａ    第１収納庫
６ａ    第２収納庫
７    入出金紙幣認識部
８    搬送モータ
５０    紙幣
２１２    紙幣入出金口
【図１】
2005293540.tif 000003
【図２】
2005293540.tif 000004
【図３】
2005293540.tif 000005
【図４】
2005293540.tif 000006
【図５】
2005293540.tif 000007
【図６】
2005293540.tif 000008
【図７】
2005293540.tif 000009
【図８】
2005293540.tif 000010
【図９】
2005293540.tif 000011
【図１０】
2005293540.tif 000012
【図１１】
2005293540.tif 000013
【図１２】
2005293540.tif 000014
【図１３】
2005293540.tif 000015
【図１４】
2005293540.tif 000016
【図１５】
2005293540.tif 000017
【図１６】
2005293540.tif 000018